(57)【要約】  【課題】  ガスセンサの気密性および点検性を共に高めた高性能なガス警報器を提供する。  【解決手段】  ガスセンサ１２と、点検ガス導入部１３と、を有するガス警報器１であって、点検ガス導入部１３の噴射孔１３ｄは、点検時に点検ガス導入路１３ａに供給された点検ガスを噴射して、ガスセンサ１２の点検ガス流通路１２ｆを通過して、ハウジング内流路１２ｄ内のガス検出素子１２ｅへ、高濃度・高速流の点検ガスを到達させるようなガス警報器１とした。【選択図】  図３
2005202623.tif 000002
【特許請求の範囲】
【請求項１】
筒状に形成された気密性ハウジングと、気密性ハウジングの開口部である通気孔と、気密性ハウジングの筒内であって通気孔の下流側に配置されて検出対象ガス以外の妨害ガスを吸着する吸着フィルタと、気密性ハウジングの筒内であって吸着フィルタの下流側に形成される空間であるハウジング内流路と、気密性ハウジングのハウジング内流路に配置されて検出対象ガス及び点検ガスに感応するガス検出素子と、吸着フィルタを迂回して外部とハウジング内流路とが連通するように気密性ハウジングに形成される点検ガス流通路と、を備えるガスセンサと、
点検ガス導入路と、点検ガス導入路に連通する噴射孔と、を備える点検ガス導入部と、
を有するガス警報器であって、
点検ガス導入部の噴射孔は、点検時に点検ガス導入路に供給された点検ガスを噴射して点検ガス流通路を介してガス検出素子へ点検ガスを到達させることを特徴とするガス警報器。
【請求項２】
請求項１に記載のガス警報器において、
点検ガス導入部の噴射孔、気密性ハウジングの点検ガス流通路、および、ハウジング内流路のガス検出素子は、略直線上に位置することを特徴とするガス警報器。
【請求項３】
請求項１または請求項２に記載のガス警報器において、
点検ガス導入部の点検ガス導入路は噴射孔に近づくにつれて先細ることを特徴とするガス警報器。
【請求項４】
請求項１〜請求項３の何れか一項に記載のガス警報器において、
点検ガス導入部の噴射孔はスリット形状であることを特徴とするガス警報器。
【請求項５】
請求項４に記載のガス警報器において、
点検ガス導入部の噴射孔は、筒部の一方の側に形成された隔壁部から突出する突出部と、筒部の対向する他方の側とにより形成されるスリット形状の開口であることを特徴とするガス警報器。
【請求項６】
請求項１〜請求項５の何れか一項に記載のガス警報器において、
ガスセンサおよび点検ガス導入部が設けられるカバーと、
点検ガス供給窓が形成される上ケースと、
を備え、
カバーに上ケースを取り付けたとき、上ケースの点検ガス供給窓の流路はカバーの点検ガス導入部の点検ガス導入路に連通することを特徴とするガス警報器。
【発明の詳細な説明】
【技術分野】
【０００１】
本発明は、都市ガス、および、ガス機器等の不完全燃焼ガスなどを検出するガス警報器に係り、詳しくはガスセンサの点検性能を向上させたガス警報器に関する。
【背景技術】
【０００２】
以前のガス警報器は主にガスが漏れたときに警報を行う機能のみ有するものであったが、最近ではガスセンサの高感度化が実現し、警報を行う前に注意報を表示・発報したり、または、低濃度の不完全燃焼を検出するなど高機能化を実現している。しかしながら、ガスセンサの高感度化が進むにつれて、ガス警報器の検出対象ガス以外のガスで誤警報を発報するという問題、または、ガスセンサのガス検出素子に含まれる触媒に影響を与える被毒ガスによりガスセンサ出力が不安定になるという問題が起こるようになっている。
【０００３】
これら問題を解決するため、近年のガス警報器は、ガスセンサ性能を維持するべく、検出対象ガス以外のガス又は被毒ガス（以下これらガスを単に妨害ガスという。）を吸着する吸着フィルタをガスセンサの上流側に設置し、妨害ガスが、ガス検出素子に到達しないようにしている。このように妨害ガスに影響されないように配慮したガス警報器が製造、販売されている。
【０００４】
このような従来技術のガス警報器について、図を参照しつつ説明する。図８は従来技術のガス警報器の一部の断面構成図である。ガス警報器１００は、大別してカバー１１０と上ケース１２０とを備える。
カバー１１０は、さらに、プリント基板１１１、ガスセンサ１１２、ガス流路１１３を備える。ガスセンサ１１２内は、さらに気密性ハウジング１１２ａ、通気孔１１２ｂ、吸着フィルタ１１２ｃ、ハウジング内流路１１２ｄ、ガス検出素子１１２ｅ、点検ガス流通路１１２ｆを備える。
上ケース１２０は、通気溝１２１、点検ガス供給窓１２２を備える。
【０００５】
このようなガス警報器１００では、ガスは上ケース１２０の通気溝１２１、ガスセンサ１１２の通気孔１１２ｂ、吸着フィルタ１１２ｃを通過して、ガス検出素子１１２ｅへ到達する。この場合、ガスの検出がなされるが、妨害ガスは吸着フィルタ１１２ｃで吸着されて、ガス検出素子１１２ｅへは到達しないため、検出対象ガスのみがガス検出素子１１２ｅへ到達する。このようなフィルタ作用により、ガス警報器１００は妨害ガスに影響されずに検出対象ガスのみに反応し、検出性能を向上させている。
【０００６】
また、このガス警報器１００は保安機器であって常に動作することが要求されるため、警報器設置時や定期警報点検時等に実際にガスを吹き付け、ガス警報器１００が正常に作動するか確認を行っている。ガス警報器１００の点検に用いる点検ガスに関し、ガス機器に供給する生ガスを分取することが不可能であるため、通常、ライターで用いるブタンガスを主成分とする点検ガスを、または、アルコールガスを主成分とする点検ガスを使用している。
【０００７】
しかし、点検に使用するブタンガス、アルコールガスは、妨害ガスに相当するため、ブタンガスやアルコールガスは、通気孔１１２ｂを通過しても吸着フィルタ１１２ｃにより吸着されて、警報を発する基準ガス濃度の閾値を超えるような高濃度ガスがガス検出素子１１２ｅまで到達できず、このままではガス警報器１００が正常に動作するか否かについて点検できない。
【０００８】
そこで従来技術のガス警報器１００は、図８で示すように、点検ガス供給窓１２２、ガス流路１１３、点検ガス流通路１１２ｆからなる点検ガス用の流路が別途設けられている。この流路は、図８の矢印で示すように、点検ガスが吸着フィルタ１１２ｃを迂回してガス検出素子１１２ｅへ到達するように配慮されている。
【０００９】
このように吸着フィルタを迂回する流路を有するような他のガス警報機は、例えば、特許文献１，２にも開示されている。特許文献１に記載の発明（ガス警報器）および特許文献２に記載の発明（ガス漏れ警報器およびその点検方法）は、フィルタを迂回する流路を設け、点検ガスが、ガス検出素子へ到達しやすいようにして点検性能を向上させている。
【００１０】
また、点検ガスの漏れを防止して、点検ガスが、ガスセンサへ到達するように配慮された他の従来技術のガス警報器について、例えば、特許文献３に開示されている。特許文献３に記載の発明（ガス漏れ警報器用点検アダプタ）は、ガス抜けを抑制する囲い壁をガスセンサの周囲に形成し、妨害ガスが、ガスセンサへ到達するようにして点検性能を向上させている。
【００１１】
【特許文献１】特許第３１９７４０１号公報（図６）
【特許文献２】特開２００３−１２３１６４号公報（図１，図２，図４〜図９）
【特許文献３】登録実用新案第３００２８７７号公報（図２）
【発明の開示】
【発明が解決しようとする課題】
【００１２】
従来技術のガス警報器では、通常のガス検出時ではガスセンサ内に妨害ガスが極力に侵入しないように気密性を保持しつつ、検査時では高濃度の点検ガスをガスセンサに到達させて点検性を向上させたいとする要請があった。
図８で示した従来技術のガス警報器１００では、点検ガス流通路１１２ｆの開口面積が十分に小さいため通常時は妨害ガスに対する気密性が高いものであるが、点検ガス供給窓１２２からガス流路１１３内に点検ガスを供給した場合、矢印のように点検ガスの流路が曲折していることに起因してハウジング内流路１１２ｄ内に高濃度の点検ガスが勢いよく高速流で流入できないため、点検ガスが、ガス検出素子１１２ｅへ到達せず、点検ガスに対するガスセンサの感度が高くないという問題があった。
【００１３】
また、特許文献１，２のガス警報器ではガスセンサに到達するような流路が形成されており、高濃度の点検ガスが、ガスセンサに到達して点検性を高めているが、それに反して通常の気密性が損なわれているという問題があった。
また、特許文献２ではシールや栓によりガスセンサに到達するような流路を封止して気密性を高めているが、美観上などの問題から、シールや栓をガス警報器の背面など目立たない場所に形成する必要があり、設計上の制約となっていた。
特許文献３は、隔壁により点検性を高めているが、気密性・点検性ともに十分な性能が期待できなかった。
【００１４】
また、図８の従来技術のように、ガス流路１１３が長距離化しないようにガスセンサ１１２と点検ガス流通路１１２ｆを近接して配置する必要があり、さらに通気溝１２１と点検ガス供給窓１２２は近接して配置する必要があり、これら位置的な制約により、カバー１１０のガスセンサ部周辺の機械的配置や、上ケース１２０の意匠が変更できないという問題があった。
【００１５】
そこで本発明は上記問題点を解決するためになされたものであり、その目的は、ガスセンサの気密性および点検性を共に高めた高性能なガス警報器を提供することを目的とする。加えて、機械的な制約を少なくして設計に自由度があるガス警報器を提供することを目的とする。
【課題を解決するための手段】
【００１６】
上記課題を解決するために、本発明の請求項１に係るガス警報器は、
筒状に形成された気密性ハウジングと、気密性ハウジングの開口部である通気孔と、気密性ハウジングの筒内であって通気孔の下流側に配置されて検出対象ガス以外の妨害ガスを吸着する吸着フィルタと、気密性ハウジングの筒内であって吸着フィルタの下流側に形成される空間であるハウジング内流路と、気密性ハウジングのハウジング内流路に配置されて検出対象ガス及び点検ガスに感応するガス検出素子と、吸着フィルタを迂回して外部とハウジング内流路とが連通するように気密性ハウジングに形成される点検ガス流通路と、を備えるガスセンサと、
点検ガス導入路と、点検ガス導入路に連通する噴射孔と、を備える点検ガス導入部と、
を有するガス警報器であって、
点検ガス導入部の噴射孔は、点検時に点検ガス導入路に供給された点検ガスを噴射して点検ガス流通路を介してガス検出素子へ点検ガスを到達させることを特徴とする。
【００１７】
また、本発明の請求項２に係るガス警報器は、
請求項１に記載のガス警報器において、
点検ガス導入部の噴射孔、気密性ハウジングの点検ガス流通路、および、ハウジング内流路のガス検出素子は、略直線上に位置することを特徴とする。
【００１８】
また、本発明の請求項３に係るガス警報器は、
請求項１または請求項２に記載のガス警報器において、
点検ガス導入部の点検ガス導入路は噴射孔に近づくにつれて先細ることを特徴とする。
【００１９】
また、本発明の請求項４に係るガス警報器は、
請求項１〜請求項３の何れか一項に記載のガス警報器において、
点検ガス導入部の噴射孔はスリット形状であることを特徴とする。
【００２０】
また、本発明の請求項５に係るガス警報器は、
請求項４に記載のガス警報器において、
点検ガス導入部の噴射孔は、筒部の一方の側に形成された隔壁部から突出する突出部と、筒部の対向する他方の側とにより形成されるスリット形状の開口であることを特徴とする。
【００２１】
また、本発明の請求項６に係るガス警報器は、
請求項１〜請求項５の何れか一項に記載のガス警報器において、
ガスセンサおよび点検ガス導入部が設けられるカバーと、
点検ガス供給窓が形成される上ケースと、
を備え、
カバーに上ケースを取り付けたとき、上ケースの点検ガス供給窓の流路はカバーの点検ガス導入部の点検ガス導入路に連通することを特徴とする。
【００２２】
このように本発明のガス警報器は、点検ガスをガス警報器のガス供給窓から吹き付けたとき、点検ガスの濃度及びガス吹きつけ時のガスの勢いを阻害しないようにするため、点検ガス導入部に筒状であって先細るような点検ガス導入路を設け、先細りの先端に噴射孔を形成した。
その結果、検出時に高濃度・高速流の点検ガスを、勢いを殺さず、点検ガス流通路を介して直接ハウジング内流路の内部に供給することとなり、結果的に、高い濃度の点検ガスがガス検出素子近傍に移流して、感応しやすくなった。
【００２３】
通気孔に関しては、吸着フィルタの働きにより妨害ガスに対して検出対象ガスの選択性が得られる。点検ガス流通路に関しては、点検ガス流通路の径・長さなどの大きさを特定することにより、点検ガス流通路を介してガス検出素子に到達するガス濃度を制御することができ、検出対象ガスの選択性が守られる。その結果、ガス警報器を妨害ガスの雰囲気中に曝しても、妨害ガスがハウジング内流路の内部に流入することを極力抑制し、ガス警報器がその妨害ガスにより誤報を発することはない。
【発明の効果】
【００２４】
以上のような本発明によれば、ガスセンサの気密性および点検性を共に高めた高性能なガス警報器を提供することができる。加えて、機械的な制約を少なくして設計に自由度があるガス警報器を提供することができる。
【発明を実施するための最良の形態】
【００２５】
以下、本発明を実施するための最良の形態のガス警報器１について図を参照しつつ説明する。図１は本形態の上ケースを取り付けたガス警報器の斜視外観図、図２は本形態の上ケースを取り外したガス警報器の斜視外観図、図３は本形態のガス警報器の要部の断面構成図、図４は本形態のガス警報器のＡ−Ａ線断面図である。
【００２６】
ガス警報器１は、図１で示すように、カバー１０と上ケース２０とを備える。
カバー１０には、図２で示すように、さらに、プリント基板１１、ガスセンサ１２、点検ガス導入部１３を備える。
上ケース２０は、図１で示すように、通気溝２１、点検ガス供給窓２２を備える。
【００２７】
ガスセンサ１２は、詳しくは図３で示すように、さらに気密性ハウジング１２ａ、通気孔１２ｂ、吸着フィルタ１２ｃ、ハウジング内流路１２ｄ、ガス検出素子１２ｅ、点検ガス流通路１２ｆを備える。
点検ガス導入部１３は、詳しくは図３，図４で示すように、さらに点検ガス導入路１３ａ、隔壁部１３ｂ，突出部１３ｃ、噴射孔１３ｄ、筒部１３ｅを備えている。
【００２８】
続いて各部について説明する。
図２，図３で示すように、ガスセンサ１２の気密性ハウジング１２ａは筒状（本形態では詳しくはほぼ円筒形状）であり、ガス警報器１の正面側に気密性ハウジング１２ａの開口部である通気孔１２ｂがある。この気密性ハウジング１２ａの筒内であって通気孔１２ｂの下流側に吸着フィルタ１２ｃが配置される。吸着フィルタ１２ｃは活性炭が充填されており、吸着フィルタ１２ｃを通過するガスから、検出対象ガス以外の妨害ガスを吸着する。
【００２９】
そして気密性ハウジング１２ａの筒内であって吸着フィルタ１２ｃの下流側には空間であるハウジング内流路１２ｄが形成される。気密性ハウジング１２ａのハウジング内流路１２ｄにガス検出素子１２ｅが配置される。ガス検出素子１２ｅは、例えば、検出対象ガス及び点検ガスに感応する半導体式センサであり、ガス漏れによる都市ガス（メタンガス）、やガス機器等の不完全燃焼ガスを検出する。ハウジング内流路１２ｄはこれら吸着フィルタ１２ｃ、気密性ハウジング１２ａおよびガスセンサ素子１２ｅにより覆われ、ハウジング内流路１２ｄの気密性が保持されている。
【００３０】
点検ガス流通路１２ｆは、吸着フィルタ１２ｃを迂回してハウジング内流路１２ｄと外部とが連通する流路を形成するために気密性ハウジング１２ａに形成される。この点検ガス流通路１２ｆは、本形態ではほぼ円形開口の孔であって、開口径はφ１ｍｍである。この開口径の大きさでは、妨害ガス（アルコール、ＮＯガス）雰囲気中でも通常の大気圧下では点検ガス流通路１２ｆから流入する妨害ガスを極力低減可能であることが知見されている。
【００３１】
ガスセンサ１２の上側には点検ガス導入部１３が配置されている。点検ガス導入部１３では、筒部１３ｅの中に点検ガス導入路１３ａが形成されている。この点検ガス導入路１３ａでは噴射孔１３ｄ側へ傾斜する隔壁部１３ｂ、および、隔壁部１３ｂから突出する突出部１３ｃにより、噴射孔１３ｄに近づくにつれて先細るようになされている。噴射孔１３ｄは、下側の筒部１３ｅの壁面と、突出部１３ｃのエッジ状の先端により形成される開口部である。本形態の噴射孔１３ｄは、図４で示すようにスリット状に形成されている。
【００３２】
点検ガス導入路１３ａは、図３に示すように、上ケース２０の点検ガス供給窓２２と連通しており、カバー１０と上ケース２０との二部品に亘って流路が形成される。
また、ガスセンサ１２の通気孔１２ｂの前には、上ケース２０の通気溝２１が位置するようになされている。
【００３３】
本形態では、図３，図５で示すように、ガスセンサ１２の点検ガス流通路１２ｆは上側に向けて、また、点検ガス導入部１３の噴射孔１３ｄは下側に向けてそれぞれ形成されている。さらにガスセンサ１２の点検ガス流通路１２ｆと、点検ガス導入部１３の噴射孔１３ｄとは、近接して配置されている。
【００３４】
続いて、点検作業および点検ガスの流れについて図を参照しつつ説明する。図５は噴射孔による点検ガスの噴射を説明する説明図、図６はガス警報器の点検の説明図である。
まず点検時以外の通常時（ガス検出動作時も含む）について説明する。
通常時は、図５（ａ）で示すように、突出部１３ｃと筒部１３ｅで形成される噴射孔１３ｄが狭いため、妨害ガスは噴射孔１３ｄを通過しにくくなっている。
また、ガスセンサ１２の点検ガス流通路１２ｆも先に説明したように狭いため、妨害ガスは点検ガス流通路１２ｆを通過しにくくなっている。
このように、通常時は開口面積が十分に狭い点検ガス導入部１３の噴射孔１３ｄと、ガスセンサ１２の点検ガス流通路１２ｆとに阻まれて、妨害ガスが、ガス検出素子１２ｅへは到達しにくくなっており、ガスセンサ１２の気密性を高めている。
【００３５】
続いて点検時について説明する。
ガス警報器１の点検作業は、図６で示すように、点検ガス供給ボンベ３０の供給孔を点検ガス供給窓２２に差し込み、この状態で点検ガスを点検ガス導入路１３ａの内部に放出させる。図５（ｂ）で示すように、点検ガス導入路１３ａの内部は点検ガスにより圧力が高まり、スリット状の噴射孔１３ｄから点検ガスが点検ガス噴射方向へ噴射される。この点検ガスは点検ガス流通路１２ｆを通過して、ハウジング内流路１２ｄ、ガスセンサ素子１２ｅに高速流・高濃度で到達する。ここに、噴射孔１３ｄ、点検ガス流通路１２ｆ、および、ガス検出素子１２ｅは、略直線上の点検ガス噴射方向上に位置しており、点検ガスがガス検出素子１２ｅへ到達しやすいようになされている。
【００３６】
この点検ガスは、図５（ｂ）で示すように、噴射角θが大きく、点検ガス流通路１２ｆを含む少し大きい領域に噴射される。また、横方向についても図５（ｃ）でも示すように、噴射孔１３ｄが横スリット形状であり、点検ガスの噴出範囲は広く、やはり点検ガス流通路１２ｆを含む少し大きい領域に噴射される。
【００３７】
このような構成を採用したため、図５（ｃ）で示すように、機械精度および組立て精度に起因して、ガスセンサ１２の位置ずれにより、噴射孔１３ｄと点検ガス流通路１２ｆとの位置がずれたとしても、点検ガスの濃度を薄めることなく高濃度で、また勢いを殺すことなく高速流で、ガス検出素子１２ｅのあるハウジング内流路１２ｄへ点検ガスが流入できるようになされている。
【００３８】
プリント基板１１に取り付けられるガスセンサ１２と、カバー１０に一体に形成されている点検ガス導入部１３とでは通常の機械精度・組立精度では、噴射孔１３ｄと点検ガス流通路１２ｆとの位置がずれやすいものであったが、本形態では位置ずれに影響されることなく、高濃度・高速流の点検ガスをハウジング内流路へ流入させることができる。
【００３９】
なお、カバー１０および上ケース２０は、合成樹脂により形成されており、若干の弾力性を持たせることも可能である。そこで、そのような合成樹脂を用いてカバー１０および上ケース２０を形成したならば、点検ガスにより点検ガス導入路１３ａ内の圧力が上昇した場合、隔壁部１３ｂおよび突出部１３ｃが変形して噴射孔１３ｄが拡開する。そこで、通常時は突出部１３ｃのエッジ状先端と筒部１３ｅの隔壁とが殆ど当接するような配置として妨害ガスの移動をほぼ完全に遮蔽し、点検時に拡開により噴射孔１３ｄを形成するような構成を採用しても良い。この場合、通常時は、妨害ガスが、ガス検出素子１２ｅへ到達するおそれがさらに減少する。
【００４０】
続いて、本形態のガス警報器の点検ガスに対する感度を従来技術のガス警報器と対比しつつ説明する。図７は本形態のガス警報器の感度を説明する説明図である。
ガスセンサ１２の駆動は、図７に示すように、ガス検出素子１２ｅを５秒間の高温駆動と１０秒間の低温駆動との２モードで１５秒周期で繰り返しており、５秒間の高温駆動の最後の５秒に到達したときにガス漏れを検出している。つまり、１５秒毎にガス漏れ検出を行っていることになる。このガス駆動は従来技術のガス警報器１００も同様の駆動である。
【００４１】
本形態のガス警報器１（図１〜図６参照）、および、従来技術のガス警報器１００（図８）それぞれに対して点検ガスを３秒吹き付けたとき、ガス検出素子１２ｅ（１１２ｅ）が配置されているハウジング内流路１２ｄ（１１２ｄ）内のガス濃度は図７に示すように推移する。
【００４２】
（１）の実線による特性は本形態のガス警報器１であって、ガスセンサ１２の点検ガス流通路１２ｆと点検ガス導入部１３の噴射孔１３ｄとが正面を向いている（図５（ｃ）参照）場合の特性である。この場合、ガス検出素子１２ｅの近辺の濃度が十分に高くなり、１５秒後のガス漏れ検出点でもガス警報器１が警報する濃度に達している。
【００４３】
（２）の点線による特性は本形態のガス警報器１であって、ガスセンサ１２の点検ガス流通路１２ｆと、点検ガス導入部１３の噴射孔１３ｄと、が正面を向いていない場合（詳しくは図５（ｃ）で示すように噴射孔１３ｄの端に点検ガス流通路１２ｆが対向している場合）の特性である。この場合、ガス検出素子１２ｅの近辺の濃度は（１）よりは若干低くなるが、１５秒後のガス漏れ検出点でも依然ガス警報器１が警報する濃度に達している。
【００４４】
（３）の実線による特性は図８の従来技術のガス警報器１００であって、ガスセンサ１１２の点検ガス流通路１１２ｆとガス流路１１３とが正面を向いている場合の特性である。この場合、同じ条件であるにも拘わらず、ガス検出素子１１２ｅの近辺の濃度が上がらずに一度ガス警報器１００が警報する濃度に達するものの徐々にガス濃度が薄まっていき、１５秒後のガス漏れ検出点ではガス警報器１００が警報する濃度未満となってガス漏れ検出ができない。
【００４５】
つまり本形態のガス警報器１は、高濃度で高速流の点検ガスが、ガス検出素子１２ｅへ確実に到達するため、ガス警報器１の感度を高めている。さらにガスセンサ１２の点検ガス流通路１２ｆが、横スリット形状の噴射孔１３ｄの噴出範囲内にあって点検ガス流通路１２ｆに点検ガスが到達すれば、ガス検出素子１２ｅのあるハウジング内流路１２ｄのガス濃度の変化が変わらず、点検性能がほぼ一定であることがわかる。本結果から本形態のガス警報器１は、機械精度・組立て精度に影響されることなく点検性能を向上させていることがわかる。
【００４６】
以上、本形態のガス警報器１について説明した。
なお、本形態では点検ガス流通路の例として単なる孔の形状を挙げたが、孔に限定されるというものではなく、点検ガスが流通する間隙を確保する形状であれば、孔以外の形状であってもよい。
また、点検ガス流通路に、ガス透過性の隔壁部材を設けることも考えられる。これら構成を適宜採用できる。
本形態のガス警報器１では、点検ガスをガス警報器１の点検ガス供給窓２２から供給したとき、点検ガスのガス濃度及びガス吹きつけ時のガス流の勢いを阻害せず、ガスセンサ１２の点検ガス流通路１２ｆに吹き付ける構造であり、ガス点検時においては、点検ガス流通路１２ｆを介してガス検出素子１２ｅに比較的高濃度の点検ガスを強制供給することが可能となる。さらに、ガス警報器１では点検ガス導入部１３の噴射孔１３ｄとガスセンサ１２の点検ガス流通路１２ｆの位置を可能な限り近接させているため、点検ガスの勢いは強く、また点検ガスの濃度が濃いためにガス検出素子１２ｅが点検ガスに確実に反応するため、点検性を高めている。
【００４７】
また、点検ガス導入路１３ａを、ガスセンサ１２の点検ガス流通路１２ｆに近づくにつれ先細りにし、また噴射孔１３ｄをガスセンサ１２の実装ずれによるばらつきを吸収できるようにスリット形状としたため、ガスセンサ１２の実装バラツキが生じても噴射孔１３ａから吹き付ける点検ガスは広角に噴射されて高濃度・高速流で点検ガス流通路１２ｆを通過してガス検出素子１２ｅのあるハウジング内流路１２ｄに流入し、実装ばらつきに影響されることなくセンサ感度を高めることができる。
【００４８】
また、点検は、点検ガス導入路１３ａ内に比較的高濃度の点検ガスを供給して高圧にして、噴射孔１３ｄから噴射するようにしたため、点検ガス導入部１３はガスセンサ１２の近傍にある必要があるが、点検ガス導入路１３ａを適宜形成することにより、点検ガス供給窓２２については、比較的に離れた位置に形成できるようになり機械的・意匠的にも設計自由度を高めることができる。
なお、図８で示した従来技術では、点検ガス供給窓１２２と、ガスセンサ１１２の点検ガス流通路１１２ｆの位置が離れれば離れるほどガス流路１１３が長距離化して点検ガスの勢いが弱まり、また点検ガスの濃度が薄まるため点検しにくくなっていた。
【００４９】
以上説明した本形態のガス警報器１は、ガスセンサの気密性・点検性という、いわばトレードオフにあるような機能を共に実現し、極めて高性能な装置とすることができる。
【図面の簡単な説明】
【００５０】
【図１】本発明を実施するための最良の形態であって、上ケースを取り付けたガス警報器の斜視外観図である。
【図２】本発明を実施するための最良の形態であって、上ケースを取り外したガス警報器の斜視外観図である。
【図３】本発明を実施するための最良の形態のガス警報器の要部の断面構成図である。
【図４】本発明を実施するための最良の形態のガス警報器のＡ−Ａ線断面図である。
【図５】噴射孔による点検ガスの噴射を説明する説明図である。
【図６】ガス警報器の点検の説明図である。
【図７】本発明を実施するための最良の形態のガス警報器の感度を説明する説明図である。
【図８】従来技術のガス警報器の一部の断面構成図である。
【符号の説明】
【００５１】
１０：カバー
１１：プリント基板
１２：ガスセンサ
１２ａ：気密性ハウジング
１２ｂ：通気孔
１２ｃ：吸着フィルタ
１２ｄ：ハウジング内流路
１２ｅ：ガス検出素子
１２ｆ：点検ガス流通路
１３：点検ガス導入部
１３ａ：点検ガス導入路
１３ｂ：隔壁部
１３ｃ：突出部
１３ｄ：噴射孔
１３ｅ：筒部
２０：上ケース
２１：通気溝
２２：点検ガス供給窓
３０：点検ガス供給ボンベ
【図１】
2005202623.tif 000003
【図２】
2005202623.tif 000004
【図３】
2005202623.tif 000005
【図４】
2005202623.tif 000006
【図５】
2005202623.tif 000007
【図６】
2005202623.tif 000008
【図７】
2005202623.tif 000009
【図８】
2005202623.tif 000010